(57)【要約】【課題】  製造が容易であり、一般的なヒンジキャップの形を変えることなく、上蓋を固定することが可能なヒンジキャップを提供すること。【解決手段】  容器に装着されるキャップ本体と、キャップ本体とヒンジ部を介して連設される上蓋とからなるヒンジキャップにおいて、キャップ本体は、上壁と、上壁から注出口に沿って立設される注出筒と、上壁の周縁から垂設される側周壁とを備え、ヒンジ部は、中央部に帯体と、その両側に配設される一対のヒンジとからなり、帯体の外面に上蓋固定用凸部を設け、上蓋固定用凸部をキャップ本体の側周壁の側面に設けられた上蓋固定嵌合部に嵌合することによって、１８０°を越える開き角度で上蓋を固定することを特徴とする。【選択図】  図１
2019043575.tif 000002
【特許請求の範囲】
【請求項１】
容器に装着されるキャップ本体と、キャップ本体とヒンジ部を介して連設される上蓋とからなるヒンジキャップにおいて、
キャップ本体は、上壁と、上壁から注出口に沿って立設される注出筒と、上壁の周縁から垂設される側周壁とを備え、
ヒンジ部は、中央部に帯体と、その両側に配設される一対のヒンジとからなり、
帯体の外面に上蓋固定用凸部を設け、上蓋固定用凸部をキャップ本体の側周壁の側面に設けられた上蓋固定嵌合部に嵌合することによって、１８０°を越える開き角度で上蓋を固定することを特徴とするヒンジキャップ。
【請求項２】
上蓋固定用凸部の形状は、横リブ状であることを特徴とする請求項１に記載のヒンジキャップ。
【請求項３】
上蓋固定用凸部は、両側のヒンジとほぼ横並びの位置に設けられていることを特徴とする請求項１または２に記載のヒンジキャップ。
【請求項４】
上蓋固定用凸部の高さは、両側のヒンジの高さと面一、あるいはヒンジの高さより低くすることを特徴とする請求項１〜３のいずれかに記載のヒンジキャップ。
【請求項５】
上蓋固定嵌合部の形状は、上蓋固定用凸部の形状に合わせた嵌合可能な凹部状であることを特徴とする請求項１〜４のいずれかに記載のヒンジキャップ。
【発明の詳細な説明】
【技術分野】
【０００１】
本発明は、容器の口部に装着されるヒンジキャップ、とくに上蓋の開き角度を１８０°を越える角度で固定することが可能なヒンジキャップに関するものである。
【背景技術】
【０００２】
容器の口部に装着されるヒンジキャップは、上蓋がヒンジを介してキャップ本体に連設されており、上蓋を開いて内容物を注出する際に、上蓋が邪魔にならないように上蓋を固定することが知られており、その多くのものが上蓋そのものを固定するものであり、中にはキャップ本体に上蓋を固定部するための段部を設けたものなどが知られている。
【０００３】
また、１８０°以上に上蓋を開くことが可能であり、一対のヒンジと、ヒンジの間に設けたアーム状の帯体をキャップ本体の側周壁に係止されるようにしたヒンジキャップも従来より知られている（例えば、特許文献１参照）。
【先行技術文献】
【特許文献】
【０００４】
【特許文献１】特開２００５−２３９２６８号公報
【発明の概要】
【発明が解決しようとする課題】
【０００５】
しかしながら、上記特許文献１記載のヒンジキャップは、帯体そのものを係合させるものであるため、キャップ本体側の係合部として縦横方向に大きな凹部を形成する必要があり、その係合自体も不十分な場合があった。
【０００６】
本発明は、上記問題を解決することを課題とし、製造が容易であり、一般的なヒンジキャップの形を変えることなく、上蓋を固定することが可能なヒンジキャップを提供することを目的とする。
【課題を解決するための手段】
【０００７】
本発明は、上記の課題を解決するため、ヒンジキャップとして、容器に装着されるキャップ本体と、キャップ本体とヒンジ部を介して連設される上蓋とからなるヒンジキャップにおいて、キャップ本体は、上壁と、上壁から注出口に沿って立設される注出筒と、上壁の周縁から垂設される側周壁とを備え、ヒンジ部は、中央部に帯体と、その両側に配設される一対のヒンジとからなり、帯体の外面に上蓋固定用凸部を設け、上蓋固定用凸部をキャップ本体の側周壁の側面に設けられた上蓋固定嵌合部に嵌合することによって、１８０°を越える開き角度で上蓋を固定することを特徴とする構成を採用する。
【０００８】
上蓋固定用凸部の実施例として、上蓋固定用凸部の形状は、横リブ状であることを特徴とする構成、上蓋固定用凸部は、両側のヒンジとほぼ横並びの位置に設けられていることを特徴とする構成、さらに、上蓋固定用凸部の高さは、両側のヒンジの高さと面一、あるいはヒンジの高さより低くすることを特徴とする構成を採用する。
【０００９】
上蓋固定嵌合部の実施例として、上蓋固定嵌合部の形状は、上蓋固定用凸部の形状に合わせた嵌合可能な凹部状であることを特徴とする構成を採用する。
【発明の効果】
【００１０】
本発明のヒンジキャップは、ヒンジ部が中央部に帯体と、帯体の両側に一対のヒンジとからなり、帯体の外面に上蓋固定用凸部を設けて、開蓋時にキャップ本体の側周壁に設けられた上蓋固定嵌合部に嵌合させることによって、上蓋が１８０°を越える角度で固定されるので、上蓋に邪魔されずに内容物を注出することができる。
また、上蓋が固定されているので、上蓋が揺動することがなく、安定した注出が可能となる。
【図面の簡単な説明】
【００１１】
【図１】本発明のヒンジキャップの閉蓋状態を示す図であり、（ａ）は上面図、（ｂ）は断面側面図である。
【図２】本発明のヒンジキャップを開蓋したばかりの状態を示す図であり、（ａ）は上面図、（ｂ）は断面側面図である。
【図３】本発明のヒンジキャップの閉蓋状態を示す図であり、（ａ）は側面図、（ｂ）は（ａ）の要部拡大図である。
【図４】本発明のヒンジキャップを開蓋し、上蓋固定用凸部を上蓋固定嵌合部に嵌合した状態を示す断面側面図である。
【発明を実施するための形態】
【００１２】
次に、本発明のヒンジキャップについて、実施例をあげ、図面を参照して説明する。
【実施例】
【００１３】
図１〜４において、Ａは容器に装着されるキャップ本体、Ｂはキャップ本体Ａにヒンジ部Ｃを介して一体成形された上蓋である。
【００１４】
キャップ本体Ａは、上壁１と上壁１の周縁から垂設される側周壁２とを備え、上壁１の中央部に注出口３が穿設され、上壁１から上方に注出口３に沿って注出筒５が立設されるとともに、下方には容器を密封するリング４が垂設されている。
【００１５】
側周壁２の所定の位置には帯体６の下端６ａを連結し、側周壁２の周面にはキャップ閉蓋時に帯体６を収納する凹溝７が刻設されている。
また、凹溝７の上端の両側には、一対のヒンジ８ａ、８ｂが設けられ、ヒンジ部Ｃは帯体６とヒンジ８ａ、８ｂとで構成されている。
【００１６】
帯体６の外面には、横リブ状の上蓋固定用凸部９が突設されている。
本実施例では、図３で示すように、上蓋固定用凸部９は、閉蓋時にヒンジ８ａ、８ｂとほぼ横並びの位置に設けられるとともに、指が触れても痛くないように、上蓋固定用凸部９の高さは、両側のヒンジ８ａ、８ｂの高さと面一あるいはヒンジ８ａ、８ｂの高さより低くされている。
また、上蓋固定用凸部９の上端は、両側のヒンジ８ａ、８ｂの端部（角部）と同じようにテーパ形状あるいはＲ形状になっている。
【００１７】
上蓋固定用凸部９の形状は、本実施例では横リブ状であるが、突起状、縦リブ状などどのような形状でもよく、複数設けてもよい。
また、上蓋固定用凸部９は、本実施例では、閉蓋時にヒンジ８ａ、８ｂとほぼ横並びした位置に設けられているが、上蓋固定用凸部９とヒンジ８ａ、８ｂの位置が上下にずれていてもよく、ヒンジ８ａ、８ｂより下の位置にあってもよい。
【００１８】
側周壁２の側面には、上蓋Ｂの開蓋時に、帯体６の上蓋固定用凸部９の形状に合わせ、嵌合可能なように上蓋固定嵌合部１０が設けられている。
本実施例では、上蓋固定嵌合部１０は、側周壁２の側面の中間部に、上蓋固定用凸部９の横リブ状に合わせて、斜め状に陥没した凹部として形成され、凹部の入り口付近には起立壁１１が形成されている。
【００１９】
上蓋固定嵌合部１０の形状は、上蓋固定用凸部９の形状に合わせて、嵌合可能であればどのような形状でもよく、本実施例では、上蓋固定用凸部９の横リブ状の形状にあわせて、斜め陥没した凹部としたが、逆に凸部状にして嵌合させることも可能である。
また、上蓋固定用凸部９が突起状あるいは縦リブ状である場合には、上蓋固定嵌合部１０についても、それぞれの形状に合わせて嵌合する形状のものとすることができる。
【００２０】
本実施例では、側周壁２の内周面には、容器に装着するためのねじ１２が設けられているが、容器への装着としてアンダーカット等で嵌着するものであってもよい。
【００２１】
上蓋Ｂは、頂壁２０と、頂壁２０の周縁に垂設された外周壁２１とを備えており、頂壁２０の下面には、キャップ本体Ａの注出筒５の内周に挿入される密封リング２２が垂設され、また注出筒５の外周には外リング２３が垂設されている。
【００２２】
頂壁２０の所定の位置には、帯体６の上端６ｂが連設され、上端６ｂから外周壁２１の下端６ａにかけて、帯体６が容易に摺動できるだけの幅を有する切欠部２５が穿設されている。
ヒンジ部Ｃの反対側には、外周壁２１の下端に摘み２６が突設されている。
なお、本実施例では、頂壁２０は中央部が高いドーム状となっているが、平坦なものであってもよい。
【００２３】
また、ヒンジキャップ内部には、定量排出や流量調整可能な構造を有する部材を装着してもよい。
次に、本実施例のヒンジキャップの使用態様と作用効果について説明する。
【００２４】
内容物の注出にあたって、上蓋Ｂを開蓋し、図４に示すように、帯体６の上蓋固定用凸部９を、キャップ本体Ａの側周壁２の側面に設けられた上蓋固定嵌合部１０に嵌合させる。上蓋固定用凸部９は、上蓋固定嵌合部１０の起立壁１１を乗り越えながら嵌合し、起立壁１１を乗り越えると、しっかり帯体６が固定されるとともに、上蓋Ｂも１８０°を越える開き角度で固定される。
図示しない容器を持って傾けるか、容器の中央部を押すことによって内容物が注出筒５から注出される。
その際、上蓋Ｂは固定されているので、注出の邪魔になることはなく、また、上蓋Ｂが揺動することもないので、安定した注出が可能となる。とくに、顔の方に向けて吐出する洗口剤等が収容された容器を使用する場合には、より効果的である。
【００２５】
注出後、上蓋Ｂを閉蓋するには、上蓋固定用凸部９を上蓋固定嵌合部１０から嵌合を外し、上蓋Ｂをキャップ本体Ａに被せ、上蓋Ｂの密封リング２２をキャップ本体Ａの注出筒５内に挿入し、上蓋Ｂの頂壁２０を指で押すことによって閉蓋が完了し、内容物は再度密封される。
【産業上の利用可能性】
【００２６】
本発明のヒンジキャップは、ヒンジ部の帯体に設けた上蓋固定用凸部を、キャップ本体の側周壁の側面に設けた上蓋固定嵌合部に嵌合させるだけで、上蓋が固定され、内容物の注出の際に、上蓋が邪魔にならず、安定した注出が可能となるので、内容物として液体のみならず、クリーム状など粘液性のものなど、種々の食料品、調味料や、さらには、容器の中央部を押して内容物を取り出すものなど、各種容器のヒンジキャップとして、広く利用することができる。
【符号の説明】
【００２７】
Ａ          キャップ本体
Ｂ          上蓋
Ｃ          ヒンジ部
１          上壁
２          側周壁
３          注出口
４          リング
５          注出筒
６          帯体
６ａ        下端
６ｂ        上端
７          凹溝
８ａ、８ｂ  ヒンジ
９          上蓋固定用凸部
１０        上蓋固定嵌合部
１１        起立壁
１２        ねじ
２０        頂壁
２１        外周壁
２２        密封リング
２３        外リング
２５        切欠部
２６        摘み
【図１】
2019043575.tif 000003
【図２】
2019043575.tif 000004
【図３】
2019043575.tif 000005
【図４】
2019043575.tif 000006